(57)【要約】【課題】  ３６０度の方向に送風可能な送風装置を提供すること。【解決手段】  ベースと、ブラケットと、モータと、羽根と、上カバーと、を備え、ベースに電力供給部材と操作スイッチが設けられ、前記ブラケットは、該ベースの上側に設けられると共に、上部と下部に開口を有する中空体であり、前記モータは、該ベースに設けられると共に、該ブラケットの下開口を通じて該ブラケットの内部に位置され、前記羽根は、該ブラケットの内部におけるモータに設けられ、前記上カバーは、該ブラケットの上開口に設けられる。【選択図】  図１
0003111710.tif 000002
【実用新案登録請求の範囲】
【請求項１】
ベースと、ブラケットと、モータと、羽根と、上カバーと、を備え、
前記ベースに電力供給部材と操作スイッチが設けられ、
前記ブラケットは、該ベースの上側に設けられると共に、上部と下部に開口を有する中空体であり、
前記モータは、該ベースに設けられると共に、該ブラケットの下開口を通じて該ブラケットの内部に位置され、
前記羽根は、該ブラケットの内部におけるモータに設けられ、
前記上カバーは、該ブラケットの上開口に設けられることを特徴とする、
送風装置。
【請求項２】
前記電力供給部材がバッテリー又はコートを有するプラグであり、前記上カバーは、上蓋と、該上蓋の下側に設けられる取付プレートと、該取付プレートの下側に設けられる加熱部材と、上カバーとブラケットとの結合用の複数のブラケット用固定部材と、加熱部材と取付プレートとの結合用の複数の加熱部材用固定部材と、を有し、前記ブラケットの上開口縁にブラケット用固定部材を結合するために複数の取付孔を有する取付リングが設けられることを特徴とする、請求項１に記載の送風装置。
【請求項３】
前記上カバーの上蓋の上側に螺合部材が設けられることを特徴とする、請求項２に記載の送風装置。
【考案の詳細な説明】
【技術分野】
【０００１】
本考案は、特に３６０度の方向に送風可能な送風装置に関するものである。
【背景技術】
【０００２】
従来の送風機は、モータによって回転する送風部材が設けられることにより、冷風又は温風を送風することができる。図５に示すものは、内部に加熱部材と送風部材が設けられることにより、温風を送り出すことができる温風ヒーター（６０）である。又、図６に示すものは、上部に回転可能な羽根が設けられることにより、冷風を送り出すことができる扇風機（７０）である。
【考案の開示】
【考案が解決しようとする課題】
【０００３】
しかしながら、上記従来の温風ヒーター（６０）又は扇風機（７０）では、例えば図５に示すように、単一方向にしか送風できなく、又は、図６に示すように、所定の角度範囲にしか送風できないので、３６０度の方向に送風することができない。
【０００４】
そこで、考案されたのが本考案であって、３６０度の方向に送風可能な送風装置を提供することを目的としている。
【課題を解決するための手段】
【０００５】
本願の請求項１の考案は、ベースと、ブラケットと、モータと、羽根と、上カバーと、を備え、
前記ベースに電力供給部材と操作スイッチが設けられ、前記ブラケットは、該ベースの上側に設けられると共に、上部と下部に開口を有する中空体であり、前記モータは、該ベースに設けられると共に、該ブラケットの下開口を通じて該ブラケットの内部に位置され、前記羽根は、該ブラケットの内部におけるモータに設けられ、前記上カバーは、該ブラケットの上開口に設けられることを特徴とする送風装置、を提供する。
【０００６】
本願の請求項２の考案は、前記電力供給部材がバッテリー又はコートを有するプラグであり、前記上カバーは、上蓋と、該上蓋の下側に設けられる取付プレートと、該取付プレートの下側に設けられる加熱部材と、上カバーとブラケットとの結合用の複数のブラケット用固定部材と、加熱部材と取付プレートとの結合用の複数の加熱部材用固定部材と、を有し、前記ブラケットの上開口縁にブラケット用固定部材を結合するために複数の取付孔を有する取付リングが設けられることを特徴とする請求項１に記載の送風装置、を提供する。
【０００７】
本願の請求項３の考案は、前記上カバーの上蓋の上側に螺合部材が設けられることを特徴とする請求項２に記載の送風装置、を提供する。
【考案の効果】
【０００８】
本考案は上記の課題を解決するものであり、ブラケットの内部に設けられる回転可能な羽根と風を誘導するための上カバーにより、ブラケットの全周囲から風を送り出すことができる。
【考案を実施するための最良の形態】
【０００９】
以下、添付図面を参照して本考案の好適な実施の形態を詳細に説明する。尚、以下の実施例は、本考案の好適な実施の形態を示したものにすぎず、本考案の技術的範囲は、下記の実施例そのものに何ら限定されるものではない。
【００１０】
図１は本考案に係る送風装置を示す斜視図であり、図２は本考案に係る送風装置を示す分解斜視図であり、図３は本考案に係る送風装置の平面図であり、図４は図３のＡ-Ａ線の断面図である。
【００１１】
図１に示すように、本考案に係る送風装置は、ベース（１０）と、ブラケット（２０）と、モータ（３０）と、羽根（４０）と、上カバー（５０）と、を備える。
【００１２】
前記ベース（１０）に電力供給部材と操作パネルである操作スイッチ（１１）が設けられ、該操作スイッチ（１１）がベース（１０）の上側の表面に設けられ、該電力供給部材が例えばバッテリー又はコートを有するプラグである。
【００１３】
図２に示すように、前記ブラケット（２０）は、該ベース（１０）の上側に設けられると共に、上部と下部に開口を有する中空体であり、その上開口縁に複数の取付孔（２１）を有する取付リングが設けられる。
【００１４】
前記モータ（３０）は、該ベース（１０）に設けられると共に、該ブラケット（２０）の下開口を通じて該ブラケット（２０）の内部に位置され、前記操作スイッチ（１１）は、該モータ（３０）と電気接続することにより、該モータ（３０）の作動を制御する。
【００１５】
前記羽根（４０）は、該ブラケット（２０）の内部におけるモータ（３０）に設けられ、該モータ（３０）の駆動によって回転することにより、ブラケット（２０）の上開口へ送風できる。
【００１６】
図３及び図４に示すように、前記上カバー（５０）は、該ブラケット（２０）の上開口に設けられると共に、上蓋（５１）と、取付プレート（５２）と、加熱部材（５３）と、複数のブラケット用固定部材（５４）と、複数の加熱部材用固定部材（５５）と、螺合部材（５６）とを有する。前記上蓋（５１）の下側に取付プレート（５２）が結合され、該取付プレート（５２）の下側に前記操作スイッチ（１１）と電気接続の加熱部材（５３）が設けられる。前記ブラケット用固定部材（５４）は、例えばねじである。ブラケット用固定部材（５４）が前記上カバー（５０）を貫通しながらブラケット（２０）の取付孔（２１）と螺合することにより、該上カバー（５０）をブラケット（２０）の上開口に設置する。前記加熱部材用固定部材（５５）は、例えばねじであり、前記加熱部材（５３）を貫通しながら取付プレートと螺合することにより、該加熱部材（５３）を取付プレート（５２）に設置する。又、前記螺合部材（５６）は、前記上蓋（５６）の上側に設けられる。
【００１７】
前記羽根（４０）が回転してブラケット（２０）の上開口へ送風する際、気流が取付プレート（５２）の案内により、ブラケットの周囲から３６０度の方向へ送風することができる。
【００１８】
本考案は上記の構成を有するので、ブラケットの内部に設けられる回転可能な羽根と風を誘導するための上カバーにより、ブラケットの全周囲から風を送り出すことができる。
【図面の簡単な説明】
【００１９】
【図１】本考案に係る送風装置を示す斜視図である。
【図２】本考案に係る送風装置を示す分解斜視図である。
【図３】本考案に係る送風装置の平面図である。
【図４】図３のＡ-Ａ線の断面図である。
【図５】従来の温風ヒーターを示す斜視図である。
【図６】従来の扇風機を示す斜視図である。
【符号の説明】
【００２０】
１０        ベース
１１        操作スイッチ
１２        プラグ
２０        ブラケット
２１        取付孔
３０        モータ
４０        羽根
５０        上カバー
５１        上蓋
５２        取付プレート
５３        加熱部材
５４        ブラケット用固定部材
５５        加熱部材用固定部材
５６        螺合部材
６０        温風ヒーター
７０        扇風機
【図１】
0003111710.tif 000003
【図２】
0003111710.tif 000004
【図３】
0003111710.tif 000005
【図４】
0003111710.tif 000006
【図５】
0003111710.tif 000007
【図６】
0003111710.tif 000008